(57)【要約】  リガンドのレセプターとの相互作用の結合定数を決定する方法であって、：疎水性アモルファスポリマーからなり、屈折率が１．３２〜１．３５である透明な固体材料の平坦な表面を、レセプター分子または試薬を含有する溶液に接触させる工程と；一連の公知である体積のリガンド水溶液を溶液に追加する工程と；固体材料と水溶液との間の界面から反射する光強度値を追加ごとに測定する工程と；測定した値をリガンド追加の関数としてフレネル式でフィットさせ、付着した質量を得るとともに、ラングミュア式でフィットさせ、平衡時のリガンド−レセプター親和性定数を得る工程とを含む方法。【特許請求の範囲】
【請求項１】
反射光の強度の測定を使用することにより、二つの相互作用する分子種の結合定数および／または溶液中のリガンドの濃度を決定するための方法であって、：
ａ）疎水性アモルファスポリマーから構成され、屈折率が１．３２００〜１．３５００、好ましくは１．３３００〜１．３３５０である透明な固体材料の平らまたは粗い平坦な表面を、レセプターまたは試薬の機能を持つ分子、例えば抗体、他のタンパク質性もしくはペプチド性複合体、核酸、脂質あるいはレセプターもしくは試薬で終結された両親媒性の界面活性剤またはブロックポリマーを１ナノグラム／ml〜１０ミリグラム／mlの濃度で含有し、場合によりレセプター機能を有さない他の分子（スペーサー）に混合される、混合物の水溶液または非水溶液に接触させ、場合により、水溶液と前記固体材料との間の界面から反射する光強度を追加ごとに測定し、時間の関数または次第に追加されるレセプター濃度の関数として、測定した値を図表に報告し、場合により、前記分子の他の水溶液または非水溶液に表面を接触させることにより、この手順を繰り返す工程と；
ｂ）一連の公知である体積のリガンド水溶液を工程（ａ）で得られた溶液に追加し、水溶液と重合体材料との間の界面から反射する光強度を追加ごとに測定し、時間の関数または次第に追加されるリガンド濃度［Ｔ０］の関数として、測定した値を図表に報告し、反射光強度データＩをリガンド追加の関数として、薄い膜の反射に関するフレネル式でフィットさせて付着した質量を得るとともに、吸着に関するラングミュア式でフィットさせて平衡時のリガンド−レセプター親和性定数を得る工程と
を含む方法。
【請求項２】
両親媒性の非イオン性またはイオン性界面活性剤が、重合体表面上に単分子層（自己組織化した単分子層）を生起させる界面活性剤である、請求項１記載の方法。
【請求項３】
リガンド−レセプター対が、タンパク質、核酸、糖タンパク質、炭水化物、ホルモンから選択される、請求項１〜２のいずれか１項記載の方法。
【請求項４】
分子のリガンド−レセプター対が、抗体／抗原、酵素／インヒビター、炭水化物／炭水化物、タンパク質／ＤＮＡ、ＤＮＡ／ＤＮＡ、ペプチド／ペプチドから選択される、請求項３記載の方法。
【請求項５】
レセプターが、公知の技術による方法、例えば化学的方法または電磁波照射もしくはプラズマ処理方法を通じ、固定化および／または化学的に修飾される、請求項１〜４のいずれか１項記載の方法。
【請求項６】
固体材料の表面に接触し、レセプターおよび／またはリガンドの機能を有する分子または分子的複合体を含有する溶液が、場合により、透明または混濁および／もしくは吸収性である、請求項１〜５のいずれか１項記載の方法。
【請求項７】
固体材料の表面が、表面粗さの深さおよび幅として１０ナノメートル〜３ミリメートルという特徴的なサイズを有する、規則的もしくは不規則な粗さを呈し、リガンド−レセプター相互作用の存在下に表面から放出される光の強度が、幾何学的な反射の方向のみならず、幾何学的な反射と異なる方向でも測定される、請求項１〜６のいずれか１項記載の方法。
【請求項８】
リガンド−レセプター相互作用の存在下における反射光の信号と、光の反射および分散によるバックグラウンドノイズとの比率が最適化されるように、入射する光の入射角度および偏光が選ばれる、請求項１〜７のいずれか１項記載の方法。
【請求項９】
リガンド−レセプター相互作用の存在下における反射光の信号と光の反射および分散によるバックグラウンドノイズとの比率が最適化されるように、配向が選択される偏光子によって反射光がフィルタリングされる、請求項８記載の方法。
【請求項１０】
重合体アモルファス材料の表面が、流動なしで測定を行うためのセルに組み込まれ、または流動セルに組み込まれ、または浸漬プルーブに組み込まれる、請求項１〜９のいずれか１項記載の方法。
【請求項１１】
重合体材料の表面が、異なるレセプターを吸着または固定化する、より小さい面積に分割される、請求項１〜１０のいずれか１項記載の方法。
【発明の詳細な説明】
【技術分野】
【０００１】
本発明は、反射光強度を直接的に測定することにより、固体材料の表面に吸着または固定化されたレセプターとリガンドとの相互作用を定量的に決定するための簡易かつ効率的な方法に関する。
【０００２】
より具体的には、本発明は、屈折率が１．３２〜１．３５である材料の平坦な表面を使用し、レセプターとリガンドとの相互作用を定量的に決定するための方法に言及する。
【０００３】
先行技術では、化学的、生化学的または生物学的関連のリガンドとレセプターとの間の相互作用、換言すれば、リガンド−レセプター可逆系の結合親和性を決定するためのいくつかの方法が報告されている。Angew.Chem.Int.Ed.1998、37、2785ページにリストが報告されている。公知の方法は、一般的に、好適な平らな表面にレセプターを固定化し、リガンドが表面に接触した後における一定の表面特性、例として光学的なものの変動を直接的または間接的に測定することを含む。変動は、リガンド／レセプター対の形成によるものである。
【０００４】
これらの方法の一つの分類では、溶液中のリガンドの標識化、換言すれば、蛍光、発光または放射性種によるリガンドの共有結合修飾が必要となる（例として、米国特許出願第２００４／００１４０６０  Ａ１号を参照されたい）。しかし、リガンドの修飾は、非常に複雑で時間がかかり、種々の異なるリガンドを使用するスクリーニングテストでの使用が困難であることに注意すべきである。さらに、この方法では、レセプターと相互作用せず、測定に干渉する遊離リガンドを洗浄によって除去するための追加的な操作が必要となる。前記方法のさらなる欠点として、リガンド−レセプター相互作用が、標識化のためのリガンドの化学的修飾に影響されることができる。
【０００５】
リガンド−レセプター相互作用（例として、セルメンブレン表面上で起こるもの）をより効果的に模擬したもう一つの分類の方法では、標識化物質でリガンドを修飾することなく、リガンド−レセプター対の連結形成によって表面上で引き起こされる変動を直接的に利用する。この方法の例は、GE Healthcare（スウェーデン国ウプサラ）によって市販されているバイオセンサーＢＩＡｃｏｒｅを使用するものである。例として、米国特許第５，３１３，２６４号および米国特許第５，３７４，５６３号を参照されたい。このバイオセンサーでは、表面プラズモン共鳴（ＳＰＲ）の原理を使用し（Jiri Homola、Sinclair S.Yee、Gunter Gauglitz、Surface plasmon resonance sensors: review,Sensors and Actuators B、vol.54(1999)、3〜15ページを参照されたい）、エバネセント光学的波が導電材料、例えば銀または金の薄い層（５０nm）の表面プラズモンと対になり、特定の角度で共鳴現象が発生する。これにより、金属上に固定化された材料、例としてリガンド−レセプター対の層の屈折率の変動を決定することができる。この変動から、リガンドとレセプターとの間の結合定数が得られる。
【０００６】
この方法は、実際に非常に使用されるが、かなり煩雑かつ高価であり、結合定数の決定において必ずしも正確というわけではない。例として、Peter Schuckによる刊行物「Use of surface plasmon resonance to probe the equilibrium and dynamic aspects of interactions between biological macromolecules」、Annu.Rev.Biophys.Biomol.Struct.、1997、26、541〜566ページを参照されたい。事実、前記方法は、レーザービームのカップリング角度を決定するプラズモンの伝播速度に対する効果により、吸着された質量を間接的に検出することに基づく。
【０００７】
結合定数を決定するためのＢＩＡｃｏｒｅ方法の使用に関係する問題は、主に方法の複雑さに依存する：
−  測定される信号は、先験的に公知ではないパラメーターを含む複雑な関数的依存性を通じ、五つの異なる材料の物理的特性に依存する。挙げられる五つの材料は、ガラス支持体または類似の生成品、支持体に堆積した導体の薄い層、金属性表面を官能基化させることができる重合体層、相互作用によって付着する分子および水溶液である；
−  測定の感度および正確さは、センサーを形成する導体層の厚さおよび表面品質に強く依存する（H.Neffらによる刊行物「Optical properties and instrumental performances of thin gold films near the surface plasmon resonance」、Thin solid films、2006、496、688〜697ページを参照されたい）；
−  測定は、さまざまな角度における光強度の検出に基づき、これは、高い分解能での角度走査の能力がある装置を必要とし、したがって、高い精度の可動部分または好適な空間分解能の光検出器マトリクスから成り立つ（L.S.Jungらによる論文「Quantitative interpretation of the response of surface plasmon resonance sensors to adsorbed films」、Langmuir、1998、14、5636〜5648ページを参照されたい）。
前記問題から以下が生起される：
−  結合反応速度論を通して決定される親和性定数値と熱力学的平衡で得られるものとが不一致となる；
−  信号がこれまで公知でなかったパラメーターに依存するため、リガンド／レセプター対が表面に形成されるときに発生する信号の強度を予測することができない。
【０００８】
そのため、リガンド−レセプター相互作用によって表面上で引き起こされる変動を直接的に利用し、リガンドの標識化操作を避け、熱力学的平衡条件下で親和性定数値を決定することができ、したがって、間接的な方法、例えば、例としてＢＩＡｃｏｒｅの欠点を避け、生物学的および薬理学的関連のリガンドの多くが複数の結合部位を有することから、多価リガンドの研究でも方法を使用することができる、リガンドとレセプターとの間の相互作用を決定するための簡易な方法を提供することが要望されている。とりわけ、信号について、構築が簡易な計装によって検出可能であり、これまでに公知のパラメーターを通して定量的に解釈可能であって、このようにして先行技術の欠点を克服する、高い感度の方法が要望されている。
【０００９】
現在のところ、予想外にも、驚くべきことに、本明細書において記載する方法により、相互作用する分子種の結合親和性およびその濃度を決定することができる定量的な光学的方法で前記欠点を克服することが可能であることが確認されている。
【００１０】
本発明の目的は、反射光の強度の測定を使用することにより、二つの相互作用する分子種の結合定数および／または溶液中のリガンドの濃度を決定するための方法であって、：
ａ）疎水性アモルファスポリマーから構成され、屈折率が１．３２００〜１．３５００、好ましくは１．３３００〜１．３３５０である透明な固体材料の平らまたは粗い平坦な表面を、レセプターまたは試薬の機能を持つ分子、例えば抗体、他のタンパク質性もしくはペプチド性複合体、核酸、脂質あるいはレセプターもしくは試薬で終結された両親媒性の界面活性剤またはブロックポリマーを１ナノグラム／ml〜１０ミリグラム／mlの濃度で含有し、場合により、レセプター機能を有さない他の分子（スペーサー）に混合される混合物の水溶液または非水溶液に接触させ、場合により、水溶液と前記固体材料との間の界面から反射する光強度を追加ごとに測定し、時間の関数または次第に追加されるレセプター濃度の関数として、測定した値を図表に報告し、場合により、前記分子の他の水溶液または非水溶液に表面を接触させることにより、この手順を繰り返す工程と；
ｂ）一連の公知である体積のリガンド水溶液を工程（ａ）で得られた溶液に追加し、水溶液と重合体材料との間の界面から反射する光強度を追加ごとに測定し、時間の関数または次第に追加されるリガンド濃度［Ｔ０］の関数として、測定した値を関係する図表に報告し、反射光強度データＩをリガンド追加の関数として式：
【数１】
2009530600.tif 000002
でフィットさせ、ここで、
Ｉ０は、表面に入射する光の強度を表し、
ｃは、表面粗さを考慮した因数であり、粗さのない表面の場合にのみ１に等しい値を有し、
ＩＮは、界面がないときに検出器によって測定される光強度であり、
φは、入射平面での光偏光の方向によって形成される角度であり、
Ｒ⊥およびＲ‖は、入射平面にそれぞれ垂直および平行に偏光する場合に薄い層についてフレネル式から導かれる反射係数であり、界面に吸着されたレセプターとあらゆる瞬間において接触しているリガンドの量に依存する、
工程とを含む方法である。前記フィットから、表面上のレセプターと相互作用するリガンドの濃度［ＴＬ］と、場合により、ラングミュア吸収式によってレセプター−リガンド結合のＫ定数とを得る。
【００１１】
薄い層のためのフレネル式は、例として、Frank L.PedrottiとLeno S.Pedrotti、「Introduction to Optics‐Second Edition」、Prentice Hall、Upper Saddle River、New Jersey、1993、392〜396ページに記載されているものである。
【００１２】
リガンド追加の関数として平衡条件でレセプターに結合するリガンドの量は、レセプター濃度および結合定数とも言われる親和性定数に依存する「ラングミュア等温線」として公知の関数によって表現することができる。ラングミュア等温線については、例として、Paul C. Hiemenez、「Principles of Colloid and Surface Chemistry」、Marcel Dekker、New York、1997、287〜298ページを参照されたい。
【００１３】
反射強度データのフィットは、薄い層の反射に関するフレネル式に対し、表面に吸着または固定化されたレセプターおよびリガンドの体積を挿入することで実施する。これにより、レセプターおよびリガンド表面濃度ならびに親和性定数だけでなく、水、重合体材料および表面上の材料の屈折率に依存する関数が生起される。他のパラメーターは、一般的に、公知または測定可能であるため、フィットから、レセプターと相互作用するリガンドの濃度および親和性定数を得ることが可能である。
【００１４】
本発明の方法は、式（１）に示す関係によって、透明または混濁および／もしくは吸収性溶液に適用可能である。そのうえ、本発明の方法は、任意の入射角度および任意の光偏光に適用可能である。
【００１５】
表面上の連続した分子層の形成による光強度の変動と工程（ａ）または工程（ｂ）の前に測定したバックグラウンド光強度との比率を変動させ、入射角度および／または光収集角度を修正するか、入射する光の偏光の変更および／または検出した光の偏光変動の測定を行うことにより、方法の感度を改善することができる。
【００１６】
例として、光入射角度が４５°であり、偏光が入射平面に対して垂直であり（Φ＝９０°）、水溶液の屈折率と重合体基質の屈折率との差Δｎが０．０１２以下であり、吸着または固定化されたレセプターおよび相互作用するリガンドの分子層の厚さが１５ナノメートル未満である場合、レセプターおよびリガンド分子の屈折率が等しく、かつ、値ｎａを有すると仮定すると、平らな平滑表面から反射する強度Ｉは、完全方程式（１）に関して１%未満の誤差で近似された次の式（２）によって表現することができる：
【数２】
2009530600.tif 000003
ここで、
Ｉ０、［ＴＬ］、Δｎは、先に定義したとおりであり、
［ＴＲ］は、表面に付着したレセプターの濃度であり、
ｍＲとｍＬは、それぞれレセプターおよびリガンドの分子量であり、
ρＲとρＬは、それぞれレセプターおよびリガンドの密度を表し、
Ｖは、水溶液の体積であり、
Ａは、レセプターとリガンドとの相互作用が生じる固体材料表面の面積であり、
λは、入射する光の波長であり、
Ｎａは、アボガドロ数であり、
ｎ０は、水溶液の屈折率であり、および
Ｉｂは、レセプターを追加する前（工程（ａ）の前）に測定した強度である。
【００１７】
熱力学的平衡の状態で表面に付着するリガンドの濃度［ＴＬ］は、ラングミュア吸着式（３）で表現することができる：
【数３】
2009530600.tif 000004
ここで、
［Ｔ０］は、先に定義したとおりであり、
［Ｓ０］は、リガンド−レセプター結合部位のモル濃度であり、および
Ｋは、親和性定数（結合定数とも言われる）である。
【００１８】
他のパラメーターが公知であることは、測定可能またはすでに公知であることを意味し、方程式（２）を反射強度の測定値にフィットさせることにより、表面に吸着または固定化されたレセプターの濃度［Ｓ０］およびリガンド−レセプター相互作用の親和性定数Ｋが得られる。
【００１９】
疎水性アモルファスポリマーは、例として、パーフルオロポリマーであることができる。アモルファス重合体材料の表面は、流動なしで測定を行うためのセルに含めることができ、または溶液を流動させる可能性を有する測定セルに含めることができ、または浸漬プローブに含めることができる。重合体材料の表面は、異なる形状、例えば、例としてプリズムまたはプリズムの錐台の形状、平行または非平行の面を持つ板の形状、好ましくは１ミクロンを超える厚さを持つ薄い膜の形状を有することができる重合体製品の部分であることができる。重合体製品は、公知の手法、例えば成形、押出、鋳込による膜形成、スピンコーティングによって得ることができる。膜の表面粗さは、膜形成中、例として溶媒および蒸発温度を選択し、アニーリングを行うことによって制御することができる。すでに形成された表面上の表面粗さを制御するための他の方法は、溶媒、ラップ仕上げおよびインプリンティング操作の使用から成る。
【００２０】
重合体表面は、平滑であるか、または表面粗さの深さおよび幅として１０ナノメートル〜３ミリメートルという特徴的なサイズを有する、規則的もしくは不規則な粗さを呈することができる。ポリマーの表面粗さは、拡散光の要素を生起させることができるが、表面を被覆する分子層に比例し、同じように反射光に比例するので、本方法にとって不都合ではない。この場合、幾何学的な反射と異なる方向でも光強度を測定することが可能である。
【００２１】
レセプターの機能を持つ分子または分子的複合体としては、固体表面上に吸着もしくは固定化される単分子層を発生させるものを使用する。吸着は、レセプター分子と固体表面との間の疎水性または静電相互作用によることができる。固定化は、レセプター分子の直接的な吸着に加え、例としてコーティングまたは堆積手法を通じ、レセプター分子と固体表面を構成するアモルファスポリマーとの間の化学的連結または固体表面に吸着もしくは固定化された異なる化合物との化学的連結が形成されることによることができる。レセプターの機能を持つ分子または分子的複合体は、公知の技術による方法、例えば化学的方法または電磁波照射もしくはプラズマ処理方法を通じ、固定化および／または化学的に修飾することができる。
【００２２】
リガンドの機能を持つ分子または分子的複合体は、レセプターとの相互作用を通して表面上に固定化された後、それらと相互作用する他の分子または分子的複合体のためのレセプターとしての機能を果たすことができる。
【００２３】
前記のように、レセプターとしては、界面活性剤、例として固体表面上に自己組織化した単分子層を発生させる非イオン性両親媒性のものを使用することができる。前記単分子層の形成は、本方法の工程（ａ）を実行し、次第に追加されるレセプター濃度の関数として平衡時に測定される光強度の漸近値の達成を観察することによって検証することができる。
【００２４】
レセプター分子は、前記のように、レセプター機能を有さないスペーサー分子との混合剤に使用することができる。一般的に、後者は、界面活性剤およびタンパク質から選択することができる。そのうえ、スペーサーとして使用する分子は、特定の相互作用を有していてはならない。前記相互作用がないことは、スペーサー分子のみを使用して本発明による方法の工程（ａ）を実行し、その後、工程（ｂ）を実行して反射光強度の変動がないことを検証することによって決定することができる。
【００２５】
レセプター機能をもたらす、またはスペーサー分子として使用される界面活性剤は、非イオン性界面活性剤、例として糖脂質、オリゴオキシエチレン、オリゴオキシプロピレンもしくはアルキルグリコシドまたはイオン性界面活性剤、例としてアニオン性、例えばビス（２−エチルヘキシル）スルホコハク酸ナトリウム（ＡＯＴ）もしくはカチオン性、例えばジドデシルジメチルアンモニウムブロミド（ＤＤＡＢ）から選択することができる。
【００２６】
レセプターで終結する界面活性剤は、先行技術の公知プロセスによってレセプターと先に記載の界面活性剤とを反応させることによって調製する。
【００２７】
リガンド−レセプター対は、分子の対、例としてタンパク質、核酸、糖タンパク質、炭水化物、おおよそ安定した連結を形成する能力がある親和性を有するホルモンとして定義される。とりわけ、抗体／抗原、酵素／インヒビター、炭水化物／炭水化物、タンパク質／ＤＮＡ、ＤＮＡ／ＤＮＡ、ペプチド／ペプチドを挙げることができる。
【００２８】
本発明による方法の工程（ａ）および（ｂ）では、反射光強度の測定は、おおよそ規則的な時間間隔、例として１秒以上で、反射光の強度を一定値に到達するまで検出することによって実行する。熱力学的平衡に到達するために必要な時間は、特定の種類のレセプター−リガンド対に依存することが確認されている。そのため、測定を実施することにより、吸着−脱着反応速度論を評価することができる。
【００２９】
本発明の方法では、溶液中の最低濃度に関する固有の限界がなく、１mm2の表面上で１００ピコグラムのリガンドを検出することができ、これは、先行技術の最も精度の高い手法程度の感度限界に相当する。測定表面面積は、レセプターが吸着または固定化された表面として定義される。このような面積を数十ミクロンの特徴的な直径を有するように縮小させ、したがって、数ピコグラムのリガンドの検出ができる。測定表面全体は、異なるレセプターが吸着または固定化される、より小さい異なる表面から成り立つことができる。
【００３０】
本発明の方法により、反射光強度の測定を通じてレセプターとリガンドとの間の相互作用を直接的に同定および測定するうえで、光の反射が有効であることが明らかになったことは、驚くべきことであり、予想外である。
【００３１】
本発明を限定することなく例証するため、いくつかの実施例を次に挙げる。
【００３２】
実施例
実施例１
ビオチンと共役したタンパク質ウシ血清アルブミン（ビオチン化ＢＳＡ、リガンド）とアビジン（レセプター）との間の結合定数の測定。
【００３３】
工程（ａ）
ラップ仕上げによって機械的に加工された一辺１cmの平滑表面を有する、６０モル%のパーフルオロジオキソールＴＴＤを含有するＴＦＥコポリマーの直角プリズムを１．５ミリリットルの水に浸漬する。
【００３４】
５ミリワットＨｅ−Ｎｅレーザーから出る光ビームを、水溶液に接触していない直角プリズム面に垂直に衝突させる。プリズムのより長い側とそれに接触する水溶液との間の界面で反射が生じる。反射したビームは、プリズムの第二のより小さい側から出て、反射光強度を電気信号に変換する増幅されたフォトダイオードによって検出される。
【００３５】
タンパク質アビジン（Aldrichによって製品化されており、ＣＡＳ番号は１４０５−６９−２）の５マイクロモル水溶液を１０マイクロリットルずつ合計８０マイクロリットルまで水に追加する。溶液は、常に攪拌下に維持する。
【００３６】
各追加後、プリズム面から反射する光の強度を安定値に到達するまで測定する。平衡時に測定した強度値（図１内の四角）をセル内のアビジン濃度の関数として図表に報告し、mg/mlで表現し、本明細書の図１に報告する曲線を得る。
【００３７】
フォトダイオードによって測定される光強度の変動から、追加したタンパク質により、溶液に浸漬した面が次第に被覆されることが観察可能である。
【００３８】
完全な被覆は、測定される光強度の漸近値の達成によって明確に示される。
【００３９】
工程（ｂ）
プリズムを浸漬する工程（ａ）で得た溶液に対し、漸近値に到達したところで、ビオチンと共役したウシ血清アルブミン（Pierceによって市販されており、製造番号は２９１３０）の５マイクロモル水溶液を１０マイクロリットルずつ追加する。溶液は、常に攪拌下に維持する。各追加後、工程（ａ）のように反射光強度を測定する。
【００４０】
測定した強度の値（図１内の点）を、得られたタンパク質濃度の関数として図表に報告し、工程（ａ）で図表化した曲線に追加する。
【００４１】
ＢＳＡ−ビオチン−アビジン連結の形成は、漸近値に到達し、アビジンのビオチン結合部位の飽和が示唆されるまでに測定される光強度の増加から検出される。
【００４２】
ＢＳＡ−ビオチンの追加の関数として反射光強度データにラングミュア吸着式をフィットさせることにより、レセプター−リガンド結合定数を得る。得られた結合定数は、２．６×１０９リットル×モル−１である。
【００４３】
実施例２
薄い膜による、アビジン（レセプター）と、ビオチンと共役したウシ血清アルブミン（ビオチン化ＢＳＡ、リガンド）との間の結合定数の測定。
【００４４】
プリズムを、１７マイクロメートルの厚さを有する、実施例１で使用したものと同じコポリマーの薄い膜に置き換え、実施例１を繰り返す。前記膜は、外部側が１．４cm、内部側が０．４cmであり、保持機能を有する四角形のプレキシグラス枠に取り付ける。
【００４５】
実施例１のように、膜表面に対して４５°の角度でレーザー光ビームを前記膜に衝突させる。レーザーから出るビームの方向に対して９０°に設置した、増幅されたフォトダイオードにより、光強度を電気信号に変換する。
【００４６】
その後、実施例１に記載するすべての操作を繰り返し、３．７×１０９リットル×モル−１の結合定数を得る。
【００４７】
実施例３
吸光係数が高い溶液中における、アビジン（レセプター）と、ビオチンと共役したウシ血清Ａｂｕｍｉｎ（ビオチン化ＢＳＡ、リガンド）との間の相互作用の検出。
【００４８】
ＴＦＥコポリマーで作製され、水に浸漬された直角プリズム、Ｈｅ−Ｎｅレーザーおよびフォトダイオードを実施例１のように設置して構成される、実施例１に記載の測定系を使用した。
【００４９】
１０マイクログラムのタンパク質アビジンを含有する、体積が１０マイクロリットルの水溶液を追加した１．５ミリリットルの水にプリズムを浸漬する。溶液は、常に攪拌下に維持する。
【００５０】
プリズム面によって反射する光の強度を２分間の規則的な間隔で測定し、安定値に到達するまでに測定した強度値（図２内の四角形）を時間の関数として図表に報告する。
【００５１】
常に攪拌下に維持された溶液に対し、０．１%（vol／vol）のサブミクロンサイズの酸化鉄粒子を含有する、体積が１００マイクロリットルのコロイド懸濁液を追加すると、５cm-1の吸光係数を与え、６３３nmの波長で全血について文献に報告されているものよりも高い値となる。
【００５２】
フォトダイオードによって測定される反射光の強度は、微粒子の追加後に水溶液の屈折率が増加するため、急速に５０%近く増加する。
【００５３】
２分後、ビオチンと共役したタンパク質ウシ血清アルブミン（Ｐｉｅｒｃｅによって市販されており、製品番号は２９１３０）を１０マイクログラム含有する、体積が１０マイクロリットルの水溶液を追加する。
【００５４】
プリズム面によって反射する光の強度を２分間の規則的な間隔で測定し、安定値に到達するまでに測定した強度値（図２内の点）を時間の関数として図表に報告する。
【００５５】
実施例１において微粒子のない透明な水溶液中で測定したものと比較して、ＢＳＡ−ビオチンの追加により、フォトダイオードの出力電圧について約０．５ボルトの上昇が得られる。これは、吸収性および分散性媒体が存在したしても、溶液中における吸着されたアビジンとＢＳＡ−ビオチンとの間の相互作用の検出が有意に制限されないことを示す。
【００５６】
実施例４
抗マウスＩｇＧ抗体との相互作用による流動セル内でのマウスＩｇＧ抗体の検出。
【００５７】
図３に報告するように、サイズが２cm×２cm×３cmで平行に管を通したプレキシグラスから、内部体積が約１００マイクロリットルの流動セルを得た。セル側には、６０モル%のパーフルオロジオキソールＴＴＤ（図３内の陰の要素）を含有するＴＦＥコポリマーで作製された窓がある。セルのインターンに面する窓表面は、外部表面に対して５°の角度を形成する。セルは、直径が１mmである二つの管により、エクスターンに接続する。
【００５８】
パーフルオロ化材料の窓の外部面に対し、５ミリワットＨｅ−Ｎｅレーザーから光ビームを垂直に衝突させる。水溶液とパーフルオロポリマーとの間の界面から出る反射光は、外部表面の垂線に対して約５°の角度を形成する方向を有し、反射光強度を電気信号に変換する増倍されたフォロダイオードによって検出される。
【００５９】
工程（ａ）
マウスＩｇＧ抗体を５マイクロモルの濃度で含有する水溶液を２０マイクロリットル／分でセル内に流動させる。流動中、水溶液とパーフルオロポリマーとの間の界面から反射する光の強度を２分間の間隔で測定する。漸近値に到達するまでに測定した強度値（図４内の塗りつぶしの点）を時間の関数として図表に報告する。
【００６０】
工程（ｂ）
ヤギで作製した抗マウスＩｇＧ抗体を５マイクロモルの濃度で含有する水溶液を２０マイクロリットル／分でセル内において流動させる。反射光の強度を工程（ａ）のように検出し、値を時間の関数として図表に報告する（図４内の塗りつぶしの四角形）。２０分後、工程（ａ）の終結時に測定した値に対し、１００%近い反射光強度の上昇が得られる。
【００６１】
実施例５
ヒトＩｇＧ抗体と抗マウスＩｇＧ抗体との間に特定の相互作用がないことを検出するためのコントロール実験。
【００６２】
実施例４に記載する流動セルを、１モルの水酸化ナトリウムを含有する水溶液を３時間にわたって継続的に流動させることによって清掃する。この操作の後、反射光の強度の測定値が実施例４の工程（ａ）の前に測定したものと等しいことを確認する。
【００６３】
工程（ａ）
実施例４の工程（ａ）に記載する手順を、マウスＩｇＧ抗体の代わりにヒトＩｇＧ抗体を使用して繰り返す。実施例４の工程（ａ）のように反射光強度を検出し、値を時間の関数として図表に報告する（図４内の白抜きの点）。
【００６４】
工程（ｂ）
その後、実施例４の工程（ｂ）に記載する手順を、ヤギで作製した抗マウスＩｇＧ抗体を使用して同様に繰り返す。実施例４の工程（ｂ）のように反射光の強度を測定し、値を時間の関数として図表に報告する（図４内の白抜きの点）。２０分後、反射光の強度は、工程（ａ）の終結時に測定した値と比較して約２０%増加する。得られた上昇は、実施例４の工程（ｂ）の終結時に得られたものよりもはるかに低く、これは、工程（ａ）中に表面に吸着された抗マウスＩｇＧ抗体とヒトＩｇＧ抗体との間の不特定な相互作用に起因する。
【００６５】
実施例６
ビオチンと共役し、アビジンで固定化された抗ヒトＩｇＧ抗体との相互作用によるヒトＩｇＧ抗体の検出。
【００６６】
実施例４に記載するものと同一の流動セルに１００マイクロリットルの水を充填する。セルに対し、タンパク質アビジンを１．５マイクロモルの濃度で含有する水溶液を合計で２０マイクロリットルの体積にわたって流動させる。流動の終結時に、フォトダイオードによって検出される反射光の強度を測定し、時間の関数として図表化する（図５の白抜き点）。
【００６７】
反射強度が安定値に到達したところで、５０分間にわたって２０マイクロリットル／分の水の流動を適用することから成る洗浄手順により、タンパク質の任意の可能な残留物含有量を除外し、流動中、フォトダイオードによって検出される反射光強度を測定し、時間の関数として図表化する（図５内の破線）。
【００６８】
洗浄手順の後、セルに対し、マウスで作製され、ビオチンと共役した抗ヒトＩｇＧ抗体を３マイクロモルの濃度で含有する水溶液を合計で２０マイクロリットルの体積にわたって流動させる。流動の終結時に、フォトダイオードによって検出される反射光強度を安定値に到達するまで測定し、時間の関数として図表化する（図５の白抜きの四角形）。フォトダイオードによって検出される反射光強度の増加は、ビオチンで共役した抗体がアビジンで被覆された表面に付着することに起因する。
【００６９】
反射強度が安定値に到達したところで、先に記載した洗浄手順により、抗体の任意の可能な残留物含有量を除外し、フォトダイオードによって検出される反射光強度の値を測定し、時間の関数として図表化する（図５内の破線）。
【００７０】
洗浄手順の後、セルに対し、濃度が２マイクロモルであるヒトＩｇＧ抗体の水溶液を合計で１０マイクロリットルの体積にわたって流動させる。流動の終結時に、フォトダイオードによって検出される反射光強度の値を安定値に到達するまで測定し、時間の関数として図表化する（図５の塗りつぶされた四角形）。フォトダイオードによって検出される反射光強度の増加は、抗ヒトＩｇＧ抗体で被覆された表面にヒトＩｇＧ抗体が付着することに起因する。
【図面の簡単な説明】
【００７１】
【図１】実施例１の図表である。
【図２】実施例３の図表である。
【図３】流動セルである。
【図４】実施例５の図表である。
【図５】実施例６の図表である。
【図１】
2009530600.tif 000005
【図２】
2009530600.tif 000006
【図３】
2009530600.tif 000007
【図４】
2009530600.tif 000008
【図５】
2009530600.tif 000009
【国際調査報告】
2009530600.tif 000010
2009530600.tif 000011
2009530600.tif 000012